(57)【要約】【課題】簡単な構成によって映像中間周波数近傍の群遅延時間を遅らせてフラットな群遅延時間特性を得る。【解決手段】受信したテレビジョン信号を中間周波信号に変換するミキサ１と、中間周波信号を増幅する中間周波増幅器４と、ミキサ１と中間周波増幅器４との間に介挿され、中間周波信号に同調する中間周波同調回路２とを備え、ミキサ１と中間周波同調回路２との間若しくは中間周波同調回路２と中間周波増幅４との間にトラップ回路３を設け、トラップ回路３のトラップ周波数を映像中間周波数よりも外側で変えられるように構成した。【選択図】　　　　図１
0003097679.tif 000002
【実用新案登録請求の範囲】
【請求項１】
受信したテレビジョン信号を中間周波信号に変換するミキサと、前記中間周波信号を増幅する中間周波増幅器と、前記ミキサと前記中間周波増幅器との間に介挿され、前記中間周波信号に同調する中間周波同調回路とを備え、前記ミキサと前記中間周波同調回路との間若しくは前記中間周波同調回路と前記中間周波増幅との間にトラップ回路を設け、前記トラップ回路のトラップ周波数を映像中間周波数よりも外側で変えられるように構成したことを特徴とする中間周波回路。
【請求項２】
前記トラップ周波数を隣接チャンネルの音声中間周波数よりも０．５ＭＨｚ乃至１．５ＭＨｚ外側に設けたことを特徴とする請求項１に記載の中間周波回路。
【請求項３】
前記トラップ回路は互いに直列接続されたインダクタンス素子及び抵抗素子と、前記直列接続回路に並列に接続された可変用容量素子とから構成され、前記抵抗素子を可変抵抗器としたことを特徴とする請求項１又は２に記載の中間周波回路。
【考案の詳細な説明】
【０００１】
【考案の属する技術分野】
本考案はテレビジョンチューナの中間周波回路に関する。
【０００２】
【従来の技術】
従来の中間周波回路を図４に示す。ミキサ３１には選択されたテレビジョン信号（ＲＦ）と局部発振信号（ＬＯ）とが入力される。ミキサ３１から出力された中間周波信号は中間周波同調回路３２を介して中間周波増幅器３３に入力される。中間周波同調回路３２は直列接続された二つのインダクタンス素子３２ａ、３２ｂと、それら全体に並列接続された容量素子３２ｃとからなる並列同調回路で構成され、二つのインダクタンス素子３２ａ、３２ｂの接続点にはミキサ３１への給電用の電圧Ｂが印加される。ミキサ３１と中間周波増幅器３３とは平衡回路で構成され、中間周波同調回路３２はミキサ３１の出力端と中間周波増幅器３３の入力端とを接続する平衡２線間に接続される。
【０００３】
中間周波増幅器３３から出力された中間周波信号はＳＡＷフィルタ３４を介してビデオ検波器３５に入力される。ビデオ検波器３５には図示しない電圧制御発振器から同期検波用の局発振信号が入力され、ビデオ検波器３５から映像信号が出力される。
【０００４】
【考案が解決しようとする課題】
映像信号はＮＴＳＣ方式の場合、直流からおよそ４ＭＨｚまではフラットな特性であることが要求されると共に、映像信号の群遅延時間も一定であることが要求される。このうち、群遅延時間はビデオ検波器やＳＡＷフィルタによってほとんど決まり、特にビデオ信号のオーバーシュートやアンダーシュートに影響をおよぼす６０Ｈｚ〜１ＭＨｚの範囲の帯域における群遅延時間が２〜３ＭＨｚの群遅延時間に比べて５０〜１００ｎＳ（ナノ秒）程度進む場合があり、この時、低域（６０Ｈｚ〜１ＭＨｚ）の遅延時間の補正が困難である（図５参照）。
【０００５】
本考案は、簡単な構成によって映像中間周波数近傍の群遅延時間を遅らせてビデオ帯域内でフラットな群遅延時間特性を得ることを目的とする。
【０００６】
【課題を解決するための手段】
上記課題を解決するため、本考案では、受信したテレビジョン信号を中間周波信号に変換するミキサと、前記中間周波信号を増幅する中間周波増幅器と、前記ミキサと前記中間周波増幅器との間に介挿され、前記中間周波信号に同調する中間周波同調回路とを備え、前記ミキサと前記中間周波同調回路との間若しくは前記中間周波同調回路と前記中間周波増幅との間にトラップ回路を設け、前記トラップ回路のトラップ周波数を映像中間周波数よりも外側で変えられるように構成した。
【０００７】
また、前記トラップ周波数を隣接チャンネルの音声中間周波数よりも０．５ＭＨｚ乃至１．５ＭＨｚ外側に設けた。
【０００８】
また、前記トラップ回路は互いに直列接続されたインダクタンス素子及び抵抗素子と、前記直列接続回路に並列に接続された可変用容量素子とから構成され、前記抵抗素子を可変抵抗器とした。
【０００９】
【考案の実施の形態】
本考案の中間周波回路を図１に示す。ミキサ１には選択されたテレビジョン信号（ＲＦ）と局部発振信号（ＬＯ）とが入力される。ミキサ１から出力された中間周波信号は中間周波同調回路２と、トラップ回路３とを介して中間周波増幅器４に入力される。中間周波同調回路２は直列接続された二つのインダクタンス素子２ａ、２ｂと、それら全体に並列接続された容量素子２ｃとからなる並列同調回路で構成される。ミキサ１は平衡回路で構成され、中間周波同調回路２はミキサ１の平衡出力端間に接続される。そして、二つのインダクタンス素子２ａ、２ｂの接続点にはミキサ１への給電用の電圧Ｂが印加される。中間周波増幅器４も平衡回路で構成され、その一方の入力端と中間周波同調回路２の一端との間にトラップ回路３が接続され、他方の入力端は中間周波同調回路２の他端に接続される。
【００１０】
トラップ回路３は互いに直列接続されたインダクタンス素子３ａ及び抵抗素子３ｂと、直列接続回路に並列に接続された可変用容量素子３ｃとから構成される、抵抗素子３ｂは可変抵抗器であり、可変容量素子３ｃには例えばバラクタダイオードが使用される。
【００１１】
この構成によって、中間周波増幅器４の入力端における周波数レスポンスは図２に示すように、映像中間周波数（Ｐ）と色副搬送波周波数（Ｃ）との間に同調し、隣接チャンネルの音声中間周波数（−Ｓ）の外側にほぼ０．５ＭＨｚ離れた周波数（ｆ１）乃至は１．５ＭＨｚ離れた周波数（ｆ２）で減衰する特性となる。減衰周波数ｆ１乃至ｆ２は可変容量素子３ｃによって適宜に決められる。また、その減衰量は可変抵抗器３ｂによって決められる。
【００１２】
中間周波増幅器４から出力された中間周波信号はＳＡＷフィルタ５を介してビデオ検波器６に入力される。ビデオ検波器６には図示しない電圧制御発振器から同期検波用の局発振信号が入力され、ビデオ検波器６から映像信号が出力される。
【００１３】
以上の構成において、トラップ回路３によって映像中間周波数（Ｐ）近傍のレスポンスも変化するが、その変化によって位相も変わる（遅れる）ので、映像信号の群遅延時間が変わる。そして、映像中間周波数（Ｐ）近傍では検波時間が遅れるので、可変容量素子３ｃによるトラップ周波数の調整又は／及び可変抵抗器３ｂによる減衰量の調整によって見かけ上の遅延時間（周波数０の遅延時間を基準にして）をフラットにすることができる（図３参照）。
【００１４】
なお、トラップ周波数ｆ１乃至ｆ２を隣接チャンネルの音声中間周波数（−Ｓ）よりも内側（映像中間周波数側）に位置させると映像中間周波信号の減衰が大きくなるの好ましくない。また、隣接チャンネルの音声中間周波数よりも１．５ＭＨｚ以上離れた位置にすると群遅延時間の調整に効果が少ない。
また、本実施形態では、トラップ回路３を中間周波同調回路２と中間周波増幅器４との間に設けたが、ミキサ１と中間周波同調回路２との間に設けてもよい。
【００１５】
【考案の効果】
以上説明したように、本考案では受信したテレビジョン信号を中間周波信号に変換するミキサと、中間周波信号を増幅する中間周波増幅器と、ミキサと中間周波増幅器との間に介挿され、中間周波信号に同調する中間周波同調回路とを備え、ミキサと中間周波同調回路との間若しくは中間周波同調回路と中間周波増幅との間にトラップ回路を設け、トラップ回路のトラップ周波数を映像中間周波数よりも外側で変えられるように構成したので、映像中間周波数近傍での映像信号の位相が変わり、それにともなって群遅延時間を遅らせて映像信号の周波数帯における群遅延時間特性をフラットにすることができる。
【００１６】
また、トラップ周波数を隣接チャンネルの音声中間周波数よりも０．５ＭＨｚ乃至１．５ＭＨｚ外側に設けたので、映像中間周波信号のレスポンスへの影響を少なくして群遅延時間特性をフラットにすることができる。
【００１７】
また、トラップ回路は互いに直列接続されたインダクタンス素子及び抵抗素子と、直列接続回路に並列に接続された可変用容量素子とから構成され、抵抗素子を可変抵抗器としたので、トラップ周波数とその位置における減衰量とを変えられるので群遅延時間特性の調整がし易い。
【図面の簡単な説明】
【図１】本考案の中間周波回路の構成を示す回路図である。
【図２】本考案の中間周波回路の特性図である。
【図３】本考案の中間周波回路における映像信号の群遅延時間特性図である。
【図４】従来の中間周波回路の構成を示す回路図である。
【図５】従来の中間周波回路における映像信号の群遅延時間特性図である。
【符号の説明】
１　ミキサ
２　中間周波同調回路
２ａ、２ｂ　インダクタンス素子
３　トラップ回路
３ａ　インダクタンス素子
３ｂ　抵抗素子（可変抵抗器）
３ｃ　容量素子（可変容量素子）
４　中間周波増幅器
５　ＳＡＷフィルタ
６　ビデオ検波器
【図１】
0003097679.tif 000003
【図２】
0003097679.tif 000004
【図３】
0003097679.tif 000005
【図４】
0003097679.tif 000006
【図５】
0003097679.tif 000007